(57)【要約】【課題】制御を伴わない簡単な構成で、流量を調整していた元の位置を明確に示すこと。【解決手段】空気を流通させる流路をなす筒状のケーシング５０と、ケーシング５０の流路を塞ぐ閉止位置から開度を調整するようにケーシング５０内で移動可能に設けられたダンパ羽根６０と、所定位置でダンパ羽根６０の移動を規制するとともに、ダンパ羽根６０の移動に伴うことなく所定位置を維持するダンパ開度保持機構６９と、を備える。【選択図】図２
2014119127.tif 000002
【特許請求の範囲】
【請求項１】
空気を流通させる流路をなす筒状のケーシングと、
前記ケーシングの流路を塞ぐ閉止位置から開度を調整するように前記ケーシング内で移動可能に設けられたダンパ羽根と、
所定位置で前記ダンパ羽根の移動を規制するとともに、前記ダンパ羽根の移動に伴うことなく前記所定位置を維持するダンパ開度保持機構と、
を備えることを特徴とする流量調整装置。
【請求項２】
前記ダンパ開度保持機構は、
前記ダンパ羽根に固定されて前記ダンパ羽根とともに移動可能に設けられた移動部と、
前記ケーシングに取り付けられて前記ダンパ羽根の移動位置に合わせて前記所定位置を調整可能に設けられており調整された前記所定位置で前記移動部の移動を規制する規制部と、
を備えることを特徴とする請求項１に記載の流量調整装置。
【請求項３】
前記ダンパ羽根に固定されて前記ケーシング内で前記ダンパ羽根を回転可能に支持する回転軸と、前記回転軸を軸とした回転のモーメントのバランスが調整されることで、前記ケーシング内を流れる空気に対する前記ダンパ羽根の抵抗が調整される圧力差調整部と、を有し、前記ダンパ羽根の角度が変化して流通する空気の量が変化することで、前記ケーシングの流路の一方側と他方側との圧力差を前記圧力差調整部で設定した圧力差に維持するように構成されており、
前記ダンパ開度保持機構は、前記圧力差調整部における回転のモーメントのバランスにより、前記ダンパ羽根の前記所定位置を維持することを特徴とする請求項１に記載の流量調整装置。
【発明の詳細な説明】
【技術分野】
【０００１】
本発明は、空調に用いられて流量を調整する流量調整装置に関する。
【背景技術】
【０００２】
部屋内の空気が汚染されるおそれのある環境においては、部屋内の負圧を維持することで部屋の外への汚染した空気の流出を防止している。負圧の維持は、負圧維持装置を用いて部屋の内外への空気の流量を調整することで行われる。
【０００３】
従来、例えば、特許文献１に記載の原子力発電所の換気空調設備は、ダクトに風量調整ダンパ（流量調整装置）が設けられている。この風量調整ダンパは、その開度がダンパ制御装置によって自動調整される。
【０００４】
また、例えば、特許文献２に記載の流体搬送設備の流量調整方法は、ダクトに流量調整部材（流量調整装置）が設けられている。流量調整部材は、ケーシングの内部に風量調整羽根が回転可能に取り付けられている。風量調整羽根は、操作部により回転操作され、ケーシングの貫通路であってダクトに連通する流路を開閉する。操作部は、電動モータを有する作動装置により回転しその開度が調整される。作動装置は、制御装置により制御される。
【先行技術文献】
【特許文献】
【０００５】
【特許文献１】特許第３２２２７１３号公報
【特許文献２】特許第４５４０５２１号公報
【発明の概要】
【発明が解決しようとする課題】
【０００６】
特許文献１や特許文献２に記載のように、流量を制御装置で自動で調整すると調整が容易となる。その反面、電源喪失などにより制御装置に不具合があると流量の調整ができなくなる。例えば、負圧を維持できない事象が生じた場合、閉止動作が行えず汚染空気が部屋の外に流出するおそれがある。そのため、流量の調整を手動操作にて行うことが好ましい。特に、放射性物質を取り扱う再処理工場や燃料加工工場における換気設備では、換気機能に加えて部屋内の負圧維持、およびグローブボックス内の負圧維持を要し、汚染空気の流出を確実に防止する必要があることから、流量の調整を手動操作で行うことが好ましい。
【０００７】
ところで、上記換気設備において、負圧維持装置に関する機器や、グローブボックスの点検時には、流量を調整するダンパ羽根を閉止位置にして系統隔離を行う。手動操作で流量を調整する場合、閉止操作は特別な問題はない。しかし、点検が終了したとき、手動操作では元の開度に正確に戻すことは難しい。
【０００８】
本発明は、上記に鑑みてなされたものであって、制御を伴わない簡単な構成で、流量を調整していた元の位置を明確に示すことのできる流量調整装置を提供することにある。
【課題を解決するための手段】
【０００９】
上述の目的を達成するために、第１の発明の流量調整装置は、空気を流通させる流路をなす筒状のケーシングと、前記ケーシングの流路を塞ぐ閉止位置から開度を調整するように前記ケーシング内で移動可能に設けられたダンパ羽根と、所定位置で前記ダンパ羽根の移動を規制するとともに、前記ダンパ羽根の移動に伴うことなく前記所定位置を維持するダンパ開度保持機構と、を備えることを特徴とする。
【００１０】
この流量調整装置によれば、ダンパ開度保持機構により、予め設定したダンパ羽根の所定位置を維持できるようにしたことから、流量を調整していた元の所定位置を明確に示すことができる。この結果、点検などでダンパ羽根を閉止位置に移動させても、所定位置にダンパ羽根を正確かつ容易に戻すことができる。しかも、この流量調整装置によれば、流量をセンサや電気回路を有する制御装置で調整しない簡単な構成のため、電源喪失などにより不都合が生じることはなく、そのような場合であっても空気の流出を確実に防止することができる。
【００１１】
また、第２の発明の流量調整装置は、第１の発明において、前記ダンパ開度保持機構は、前記ダンパ羽根に固定されて前記ダンパ羽根とともに移動可能に設けられた移動部と、前記ケーシングに取り付けられて前記ダンパ羽根の移動位置に合わせて前記所定位置を調整可能に設けられており調整された前記所定位置で前記移動部の移動を規制する規制部と、を備えることが好ましい。
【００１２】
また、第３の発明の流量調整装置は、第１の発明において、前記ダンパ羽根に固定されて前記ケーシング内で前記ダンパ羽根を回転可能に支持する回転軸と、前記回転軸を軸とした回転のモーメントのバランスが調整されることで、前記ケーシング内を流れる空気に対する前記ダンパ羽根の抵抗が調整される圧力差調整部と、を有し、前記ダンパ羽根の角度が変化して流通する空気の量が変化することで、前記ケーシングの流路の一方側と他方側との圧力差を前記圧力差調整部で設定した圧力差に維持するように構成されており、前記ダンパ開度保持機構は、前記圧力差調整部における回転のモーメントのバランスにより、前記ダンパ羽根の前記所定位置を維持することが好ましい。
【発明の効果】
【００１３】
本発明によれば、制御を伴わない簡単な構成で、流量を調整していた元の位置を明確に示すことができる。
【図面の簡単な説明】
【００１４】
【図１】図１は、本発明の実施形態に係る流量調整装置が設置された部屋の概略構成を示す模式図である。
【図２】図２は、図１に示す流量調整装置の概略構成を示す模式図である。
【図３】図３は、図１に示す流量調整装置の他の例の概略構成を示す模式図である。
【図４】図４は、図３に示す流量調整装置の概略構成を示す斜視図である。
【図５】図５は、図１に示す流量調整装置の他の例の概略構成を示す模式図である。
【発明を実施するための形態】
【００１５】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００１６】
図１は、本実施形態に係る流量調整装置が設置された部屋の概略構成を示す模式図である。
【００１７】
図１に示すように、流量調整装置１は、部屋１２に設置されている。本実施形態の部屋１２は、室内空間２０の圧力を室外空間２４の圧力よりも低く維持する必要がある部屋である。部屋１２としては、再処理工場や燃料加工工場における部屋や、グローブボックスなどが例示される。部屋１２は、壁１２ａと床１２ｂと天井１２ｃで囲まれている。以下では、部屋１２の壁１２ａと床１２ｂと天井１２ｃで囲まれた内部の閉じられた空間を室内空間２０とし、部屋１２の外側の領域を室外空間２４とする。部屋１２は、壁１２ａの一部に開閉可能な扉１２ｄが配置されている。なお、扉１２ｄは、１個に限定されず、部屋１２に複数個設けてもよい。部屋１２は、扉１２ｄが開かれることで、室内空間２０と室外空間２４が繋がった状態となる。また、部屋１２は、開かれた扉１２ｄに加え、室内圧力保持システム１０に設けられた各部で室内空間２０と室外空間２４との間で空気が流通するが、これら以外の部分では、室内空間２０と室外空間２４との間で空気が流通しない。
【００１８】
部屋１２は、室内空間２０の圧力を室外空間２４の圧力よりも低く保持する、いわゆる部屋１２を負圧に保持する室内圧力保持システム１０が設置されている。室内圧力保持システム１０は、給気手段１４と、排気手段１６と、本実施形態の流量調整装置１と、を有する。
【００１９】
給気手段１４は、給気送風機３０と、給気口３２と、配管３４と、逆止弁３６と、を有する。給気送風機３０は、ファン、ブロアなどであり、室内空間２０に配置されている。給気口３２は、壁１２ａに形成された開口であり、室内空間２０と室外空間２４とを連通させている。配管３４は、給気送風機３０と給気口３２とを接続する配管である。逆止弁３６は、配管３４の給気口３２と給気送風機３０との間に配置され、配管３４の空気が一方向のみに流れるように規制する弁である。具体的には、逆止弁３６は、配管３４内の空気が給気口３２から給気送風機３０に向けてのみ流れるように空気の流れを規制している。つまり、逆止弁３６は、給気送風機３０から給気口３２に向けて空気が流れないように空気の流れを規制している。
【００２０】
給気手段１４は、給気送風機３０を駆動し、配管３４内の空気を室内空間２０に排出することで、室外空間２４の空気を給気口３２から配管３４に流入させ、配管３４に流入した空気を室内空間２０に排出する空気の流れを形成し、室外空間２４の空気を室内空間２０に供給する。給気手段１４が室内空間２０に給気する給気空気７０の流量は、給気送風機３０の流量に対応する。また、給気手段１４は、逆止弁３６を設けることで空気が逆流し、室内空間２０の空気が配管３４および給気口３２から室外空間２４に排出されることを抑制している。
【００２１】
排気手段１６は、排気送風機４０と、排気口４２と、配管４４と、逆止弁４６と、を有する。排気送風機４０は、ファン、ブロアなどであり、室内空間２０に配置されている。排気口４２は、壁１２ａに形成された開口であり、室内空間２０と室外空間２４とを連通させている。配管４４は、排気送風機４０と排気口４２とを接続する配管である。逆止弁４６は、配管４４の排気口４２と排気送風機４０との間に配置され、配管４４の空気が一方向のみに流れるように規制する弁である。具体的には、逆止弁４６は、配管４４内の空気が排気送風機４０から排気口４２に向けてのみ流れるように空気の流れを規制している。つまり、逆止弁４６は、排気口４２から排気送風機４０に向けて空気が流れないように空気の流れを規制している。
【００２２】
排気手段１６は、排気送風機４０を駆動し、配管４４内の空気を室外空間２４に排出することで、室内空間２０の空気を配管４４に流入させ、配管４４に流入した空気を排気口４２から室外空間２４に排出する空気の流れを形成し、室内空間２０の空気を室外空間２４に排出する。排気手段１６が室外空間２４に排出する排気空気７２の流量は、排気送風機４０の流量に対応する。また、給気手段１４は、逆止弁３６を設けることで空気が逆流し、室内空間２０の空気が配管３４および給気口３２から室外空間２４に排出されることを抑制している。
【００２３】
ここで、本実施形態の室内圧力保持システム１０は、給気手段１４の給気空気７０の流量（第１流量）をＸ１とし、排気手段１６の排気空気７２の流量（第２流量）をＸ２とした場合、流量Ｘ１と流量Ｘ２の関係は、Ｘ１＜Ｘ２となる。つまり、給気手段１４の給気空気７０の流量Ｘ１が、排気手段１６の排気空気７２の流量Ｘ２よりも少ない。
【００２４】
流量調整装置１は、逆止ダンパとして構成されており、壁１２ａに設置されている。流量調整装置１は、室外空間２４の空気を室内空間２０に排出する方向にのみ空気を排出する。つまり流量調整装置１は、室内空間２０の空気が室外空間２４に流出することを抑制する構成である。流量調整装置１が、室内空間２０に排出する給気空気７４の流量は、部屋１２内の給気と排気のバランスによって変動する。
【００２５】
次に、図２を用いて、流量調整装置１の構成について説明する。図２は、図１に示す流量調整装置の概略構成を示す模式図である。
【００２６】
図２に示す流量調整装置１は、ケーシング５０と、流量調整機構５６と、を有する。ケーシング５０は、壁１２ａにはめ込まれた、断面が四角となり内部が空洞の筒形状の部材である。ケーシング５０は、一方の端部の開口５２が室内空間２０に露出しており、他方の端部の開口５４が室外空間２４に露出している。ケーシング５０は、その内部の空間が開口５２を介して室内空間２０と連結し、開口５４を介して室外空間２４と連結している。つまり、ケーシング５０は、内部の空洞部分で、室内空間２０と室外空間２４とを繋げている流路をなす。さらにケーシング５０は、壁１２ａと接触している面（開口５２と開口５４とに挟まれた外面）の一部が壁１２ａよりも室外空間２４側に突出している。つまり、ケーシング５０は、箱の外表面の一部が室外空間２４に露出している。
【００２７】
流量調整機構５６は、流量調整装置１、具体的にはケーシング５０の筒状の部材の内部の空間を介して、室外空間２４から室内空間２０に排出される空気の流量を調整する機構であり、ダンパ羽根６０と、シャフト（回転軸）６２と、調整機構部６３と、ストッパ６８と、ダンパ開度保持機構６９とを有する。
【００２８】
ダンパ羽根６０は、ケーシング５０の内部に配置された板状の部材である。ダンパ羽根６０は、ケーシング寸法に応じて慣性力が過大とならないように分割される。図２は、このダンパ羽根を、３枚に分割した例を示す。それぞれ羽根の外形は、ほぼ四角とされ、かつ３枚が図２に一点鎖線で示すように上下方向に鉛直に連なって配置された場合に、全体の外形が大きな四角となる形状である。この大きな四角の形状は、ケーシング５０の内面の形状と同様（相似）の四角形（矩形）形状である。このように、上下方向に鉛直に連なって配置された各ダンパ羽根６０は、全体の面積が最も大きい面が、空気が流れる方向に直交する面におけるケーシング５０の内部の空間の形状（ケーシング５０の内面の形状）より若干小さくなっている。羽根６０は、空気を排出していない状態では、板形状の面積が最も大きい面が、ケーシング５０の内面を塞いでいる。この状態では、ケーシング５０の内面のパッキンにより、羽根とケーシング間の隙間が完全に塞がれる閉止位置となる。
【００２９】
シャフト６２は、各ダンパ羽根６０に設けられ、各ダンパ羽根６０をケーシング５０内で支持する棒状の部材である。シャフト６２は、各ダンパ羽根６０の両側端部であってその中央に連結されている。シャフト６２は、ほぼ水平に配置されて回転可能な状態でケーシング５０に支持されている。各ダンパ羽根６０は、シャフト６２の回転に伴ってシャフト６２と一体で回転する。また、各ダンパ羽根６０は、図には明示しないリンク機構により連結され、１つのダンパ羽根６０が回転すると他のダンパ羽根６０も回転するように構成されている。本実施形態では、上下方向の中央のダンパ羽根６０が回転すると、他の上下のダンパ羽根６０が逆方向に回転する。これにより、各ダンパ羽根６０は、図２に一点鎖線で示す上下方向に鉛直に連なった閉止位置と、それぞれが鉛直から傾いた開位置とに移動する。また、シャフト６２は、少なくとも１つのダンパ羽根６０について、一部がケーシング５０の外側に露出されている。具体的には、シャフト６２は、上下方向の中央のダンパ羽根６０について、ケーシング５０の外面のうち、室外空間２４に露出している部分に露出している。
【００３０】
調整機構部６３は、ケーシング５０の外面であって、シャフト６２が露出した位置に対応して設けられている。調整機構部６３は、ギアボックス６３ａと操作部６３ｂとを有している。ギアボックス６３ａは、シャフト６２が露出した位置に設けられている。ギアボックス６３ａは、その内部に図示しない複数のギアが噛み合って収納され、出力側のギアに露出したシャフト６２が連結されている。操作部６３ｂは、ギアボックス６３ａから下方に延出した軸として構成され、その下端にハンドル６３ｃが固定されている。操作部６３ｂは、ギアボックス６３ａに対して回転可能に取り付けられ、ギアボックス６３ａの内部の入力側のギアに連結されている。すなわち、調整機構部６３は、ハンドル６３ｃを回転操作することで、軸である操作部６３ｂが回転し、この回転がギアボックス６３ａの内部のギアで伝達されシャフト６２を回転させる。これにより、各ダンパ羽根６０は、閉止位置と、それぞれが鉛直から傾いた開位置とに移動する。
【００３１】
ストッパ６８は、ケーシング５０を閉じる位置で各ダンパ羽根６０が支持されるように、各ダンパ羽根６０がケーシング５０を閉じる閉止位置に移動したときの位置に、当該ダンパ羽根６０がそれ以上回転しないように規制する規制部材である。ストッパ６８は、ケーシング５０の内面に突出した突起状の部材である。
【００３２】
ダンパ開度保持機構６９は、シャフト６２が露出した位置に対応して設けられている。ダンパ開度保持機構６９は、ダンパ開度指示針（移動部）６９ａと、ダンパ開度指示部６９ｂと、ダンパ針規制部６９ｃとを有している。ダンパ開度指示針６９ａは、露出したシャフト６２に固定されている。すなわち、ダンパ開度指示針６９ａは、露出したシャフト６２の回転に伴って当該シャフト６２と一体で回転する。ダンパ開度指示部６９ｂは、ケーシング５０側であって、本実施形態ではギアボックス６３ａに固定された板状部材であって、ダンパ開度指示針６９ａの先端の回転の移動軌跡上に設けられている。ダンパ開度指示部６９ｂは、ダンパ開度指示針６９ａの先端の回転の移動軌跡に沿った目盛が記されている。目盛は、例えば、ダンパ羽根６０が閉止位置にあるときを０％とし、ダンパ羽根６０がケーシング５０を最も開ける全開位置にあるときを１００％として記されている。
【００３３】
ダンパ針規制部６９ｃは、溝６９ｄと規制部６９ｅとを有する。溝６９ｄは、ケーシング５０側であって、例えば、ダンパ開度指示部６９ｂに対して形成されており、ダンパ開度指示針６９ａの中程の回転の移動軌跡に沿って設けられている。規制部６９ｅは、溝６９ｄからダンパ開度指示針６９ａ側に突出して設けられている。規制部６９ｅは、溝６９ｄに沿ってスライド移動可能に設けられている一方、スライド移動の任意の位置で固定されるように設けられている。規制部６９ｅの固定は、例えばネジなどの適宜な手段である。この規制部６９ｅは、ダンパ羽根６０の開方向への移動に伴って移動するダンパ開度指示針６９ａに当接するように溝６９ｄから突出して設けられている。
【００３４】
このダンパ開度保持機構６９は、ダンパ開度指示針６９ａおよびダンパ開度指示部６９ｂが、調整機構部６３により閉止位置と全開位置とに移動するダンパ羽根６０の開度をあらわす。さらに、ダンパ開度保持機構６９は、調整機構部６３によりダンパ羽根６０の開度が調整された後、ダンパ針規制部６９ｃの規制部６９ｅを溝６９ｄに沿って移動させ、この規制部６９ｅをダンパ開度指示針６９ａに当接した所定位置で固定する。これにより、ダンパ開度指示針６９ａは、ダンパ羽根６０を伴って、所定位置からそれ以上開方向に移動することがないように移動を規制されることになる。また、調整機構部６３により、ダンパ羽根６０を閉止位置側に移動させた場合、ダンパ開度指示針６９ａは、規制部６９ｅから遠ざかるように移動するため、ダンパ羽根６０を伴って移動が可能であり、規制部６９ｅは、固定されたままの所定位置に残る。さらに、調整機構部６３により、ダンパ羽根６０を全開位置側に移動させた場合、ダンパ開度指示針６９ａは、所定位置にある規制部６９ｅに当接するため、ダンパ羽根６０を伴って、当該所定位置にて移動を規制される。
【００３５】
このように構成された流量調整装置１は、ダンパ羽根６０の開度位置（所定位置）を規制部６９ｅで合わせておく。この状態から、部屋１２の内部の点検（例えば、給気手段１４や排気手段１６の点検）を行う際、ハンドル６３ｃが手動で操作されることにより、流量を調整するダンパ羽根６０を閉止位置にして系統隔離する。そして、流量調整装置１は、点検が終了したとき、再びハンドル６３ｃが手動で操作されることにより、ダンパ羽根６０が全開位置側に移動するが、所定位置にある規制部６９ｅより当該所定位置にて移動を規制される。すなわち、ダンパ羽根６０は、所定位置に戻される。
【００３６】
このように、本実施形態の流量調整装置１は、空気を流通させる流路をなす筒状のケーシング５０と、ケーシング５０の流路を塞ぐ閉止位置から開度を調整するようにケーシング５０内で移動可能に設けられたダンパ羽根６０と、所定位置でダンパ羽根６０の移動を規制するとともに、ダンパ羽根６０の移動に伴うことなく所定位置を維持するダンパ開度保持機構６９と、を備える。
【００３７】
そして、図２に示す流量調整装置１では、ダンパ開度保持機構６９は、ダンパ羽根６０に固定されてダンパ羽根６０とともに移動可能に設けられた移動部としてのダンパ開度指示針６９ａと、ケーシング５０に取り付けられてダンパ羽根６０の移動位置に合わせて前記所定位置を調整可能に設けられており調整された所定位置でダンパ開度指示針６９ａの移動を規制する規制部６９ｅと、を備える。
【００３８】
この流量調整装置１によれば、ダンパ開度保持機構６９により、予め設定したダンパ羽根６０の所定位置を維持できるようにしたことから、流量を調整していた元の所定位置を明確に示すことができる。この結果、点検などでダンパ羽根６０を閉止位置に移動させても、所定位置にダンパ羽根６０を正確かつ容易に戻すことが可能になる。しかも、この流量調整装置１によれば、流量をセンサや電気回路を有する制御装置で調整しない簡単な構成のため、電源喪失などにより不都合が生じることはなく、放射性物質を取り扱う再処理工場や燃料加工工場における換気設備などにおいて、汚染空気の流出を確実に防止することが可能である。
【００３９】
次に、図３および図４を用いて、流量調整装置１の他の例の構成について説明する。図３は、図１に示す流量調整装置の他の例の概略構成を示す模式図である。図４は、図３に示す流量調整装置の概略構成を示す斜視図である。
【００４０】
図３および図４に示す流量調整装置１は、ケーシング５０と、流量調整機構５６と、を有する。ケーシング５０は、壁１２ａにはめ込まれた、断面が四角となり内部が空洞の筒形状の部材である。ケーシング５０は、一方の端部が室内空間２０に露出しており、他方の端部が室外空間２４に露出している。ケーシング５０は、室内空間２０側の面にフランジが設けられて開口５２が形成され、室外空間２４側の面にフランジが設けられて開口５４が形成され、これによりその内部の空間が開口５２を介して室内空間２０と連結し、開口５４を介して室外空間２４と連結している。つまり、ケーシング５０は、内部の空洞部分で、室内空間２０と室外空間２４とを繋げている流路をなす。さらにケーシング５０は、壁１２ａと接触している面（開口５２と開口５４とに挟まれた外面）の一部が壁１２ａよりも室外空間２４側に突出している。つまり、ケーシング５０は、箱の外表面の一部が室外空間２４に露出している。
【００４１】
流量調整機構５６は、流量調整装置１、具体的にはケーシング５０の筒状の部材の内部の空間を介して、室外空間２４から室内空間２０に排出される空気の流量を調整する機構であり、ダンパ羽根６０と、シャフト（回転軸）６２と、バランス調整部６４と、圧力差調整部６６と、ストッパ６８と、を有する。なお、バランス調整部６４と圧力差調整部６６とは、ダンパ開度保持機構６９をなす。
【００４２】
ダンパ羽根６０は、ケーシング５０の内部に配置された板状の部材である。ダンパ羽根６０は、外縁がケーシング内面に沿うような形状であり、図３および図４に示すようにケーシング５０が矩形断面の場合の場合に、四角形となる羽根を示す。つまり、ダンパ羽根６０は、ケーシング５０の内面の形状と同様（相似）の四角形（矩形）形状である。羽根６０は、自由に回転できるように、面積が最も大きい面が、空気が流れる方向に直交する面におけるケーシング５０の内部の空間の形状（ケーシング５０の内面の形状）とより若干小さくなっている。羽根６０は、図３および図４に一点鎖線で示す状態（空気を排出していない状態）では、板形状の面積が最も大きい面が、ケーシング５０の内面を塞いでいる。この状態では、ケーシング５０の内面のパッキンにより、羽根とケーシング間の隙間が完全に塞がれる閉止位置となる。
【００４３】
シャフト６２は、ダンパ羽根６０に設けられ、ダンパ羽根６０をケーシング５０内で支持する棒状の部材である。シャフト６２は、ダンパ羽根６０の両側端部であって鉛直方向上側の端部に連結されている。シャフト６２は、ほぼ水平に配置されて回転可能な状態でケーシング５０に支持されている。ダンパ羽根６０は、シャフト６２の回転に伴ってシャフト６２と一体で回転する。これにより、各ダンパ羽根６０は、図３に一点鎖線で示す上下方向に鉛直に連なった閉止位置と、鉛直から傾いた開位置とに移動する。また、シャフト６２は、一部がケーシング５０の外側に露出されている。具体的には、シャフト６２は、ケーシング５０の外側の面のうち、室外空間２４に露出している部分に露出している。
【００４４】
バランス調整部６４は、ケーシング５０の外側に露出している部分のシャフト６２に設けられている。つまり、バランス調整部６４は、ケーシング５０の外側の面のうち、室外空間２４に露出した部分に設けられている。バランス調整部６４は、シャフト６２を軸としたモーメントにおいて、ダンパ羽根６０がシャフト６２に作用させるモーメントとつり合うモーメントを作用させる部材である。バランス調整部６４は、ウエイト支持部６４ａと複数（本実施形態では３つ）のバランスウエイト６４ｂとを有する。ウエイト支持部６４ａは、シャフト６２に固定された２枚の板状の部材と、バランスウエイト６４ｂを固定する棒状部材とを有する。ウエイト支持部６４ａは、２枚の板で棒状部材を支持し、さらに、棒状部材に挿入されたバランスウエイト６４ｂを挟み込むことで、バランスウエイト６４ｂを固定する。バランスウエイト６４ｂは、錘であり、ウエイト支持部６４ａに支持されている。バランスウエイト６４ｂは、穴が形成されており、当該穴にウエイト支持部６４ａの棒状部材が挿入されることで、所定の位置に支持される。
【００４５】
バランス調整部６４は、ウエイト支持部６４ａが、シャフト６２を軸とし、ダンパ羽根６０が配置されている位置（ダンパ羽根６０が伸びている方向）から１８０度回転した位置で、かつシャフト６２から一定距離離れた位置にバランスウエイト６４ｂを固定している。これにより、バランス調整部６４は、ダンパ羽根６０と逆の向きに配置され、シャフト６２の回転時にダンパ羽根６０が作用させるモーメントを打ち消すモーメントを発生させる。これにより、流量調整機構５６は、ダンパ羽根６０の角度によらず、ダンパ羽根６０で発生するモーメントがバランス調整部６４で打ち消される状態となり、シャフト６２回りの回転において、ダンパ羽根６０の荷重を無視できる状態となる。
【００４６】
圧力差調整部６６は、ケーシング５０の外側に露出している部分のシャフト６２に設けられている。つまり、圧力差調整部６６は、ケーシング５０の外側の面のうち、室外空間２４に露出した部分に設けられている。圧力差調整部６６は、シャフト６２を軸としたモーメントにおいて、ケーシング５０内を流れる空気がダンパ羽根６０に作用させるモーメントに対する抵抗となるモーメントを作用させる部材である。圧力差調整部６６は、ウエイト支持部６６ａと調整ウエイト６６ｂとを有する。ウエイト支持部６６ａは、シャフト６２に固定された板状の部材と、調整ウエイト６６ｂを固定するピンとを有する。ウエイト支持部６６ａは、板状の部材がシャフト６２を中心とする円形の部材であり、当該板状の部材にピンで調整ウエイト６６ｂを留めることで、シャフト６２を回転軸として、ダンパ羽根６０とのなす角度を所定の角度、回転軸からの距離を所定の距離とすることができる。調整ウエイト６６ｂは、錘であり、ウエイト支持部６６ａに支持されている。調整ウエイト６６ｂは、穴が形成されており、当該穴にウエイト支持部６６ａのピンが挿入されることで、所定の位置に支持される。調整ウエイト６６ｂは、ウエイト支持部６６ａに固定される位置や、個数、重量を適宜調整することができる。
【００４７】
圧力差調整部６６は、ウエイト支持部６６ａがシャフト６２を軸として、ダンパ羽根６０が配置されている位置（ダンパ羽根６０が伸びている方向）とのなす角を所定の角度とし、かつシャフト６２から所定の距離離れた位置に調整ウエイト６６ｂを固定している。これにより、圧力差調整部６６は、ケーシング５０内を流れる空気がダンパ羽根６０に作用させるモーメントに対する抵抗となる。
【００４８】
ストッパ６８は、ケーシング５０を閉じる閉止位置でダンパ羽根６０が支持されるように、ダンパ羽根６０がケーシング５０を閉じる閉止位置に移動したときの位置に、当該ダンパ羽根６０がそれ以上回転しないように、つまり、ダンパ羽根６０が室外空間２４側に回転しないように規制する規制部材である。ストッパ６８は、ケーシング５０の内周面に突出した突起状の部材であり、室内空間２０側の面がダンパ羽根６０と接触する。
【００４９】
流量調整装置１は、給気手段１４および排気手段１６が駆動していない場合、流量調整装置１から空気が排出されないので、ダンパ羽根６０がストッパ６８に当接する位置となり、ダンパ羽根６０がケーシング５０の内部の空間を塞いだ状態となる。
【００５０】
流量調整装置１は、給気手段１４および排気手段１６が駆動し、室外空間２４の圧力が室内空間２０の圧力よりも高くなると、ダンパ羽根６０の室外空間２４側の圧力が室内空間２０側の面の圧力よりも高くなり、ダンパ羽根６０が室外空間２４側から押される。これにより、流量調整装置１は、例えばダンパ羽根６０ａの位置まで回転する。ダンパ羽根６０ａまで回転すると、ダンパ羽根６０ａとケーシング５０との間に隙間が形成され、当該隙間を流れて、室外空間２４の空気が室内空間２０に排出される。このとき、シャフト６２周りのモーメントにおいて、空気の流れがダンパ羽根６０、６０ａに付与する力と、圧力差調整部６６が付与する力とがつり合うと、当該釣り合いが取れた位置にダンパ羽根６０が支持される。また、流量調整装置１は、室内空間２０の圧力と室外空間２４の圧力との差が大きくなると、ダンパ羽根６０が開く角度が大きくなり、排出される空気の流量も多くなる。流量調整装置１は、このように圧力差に応じて自動的（機械的構造で）に開度が変化するため、室内空間２０と室外空間２４との圧力差の変動を低減することができる。
【００５１】
このとき、流量調整装置１は、調整ウエイト６６ｂの位置や重量を調整することで、対応する圧力差の範囲、および流量を調整することができる。流量調整装置１は、調整ウエイト６６ｂの重量を重くするまたは、位置をシャフト６２から離すことでより大きな圧力差に対応することができ、ケーシング５０を通過する空気の流量を減らすことができる。また、流量調整装置１は、調整ウエイト６６ｂの重量を軽くするまたは、位置をシャフト６２に近づけることでより小さな圧力差に対応することができ、ケーシング５０を通過する空気の流量を増すことができる。
【００５２】
ところで、図５は、図１に示す流量調整装置の他の例の概略構成を示す模式図であって、図３および図４に示す流量調整装置１の変形例である。図５に示す流量調整装置１は、図３および図４に示す流量調整装置１に対し、圧力差調整部６６の構成が異なる。以下に、この圧力差調整部６６について説明し、その他の構成には図３および図４に示す流量調整装置１と同じ符号を付して説明を省略する。
【００５３】
圧力差調整部６６は、ケーシング５０の外側に露出している部分のシャフト６２に設けられている。つまり、圧力差調整部６６は、ケーシング５０の外側の面のうち、室外空間２４に露出した部分に設けられている。圧力差調整部６６は、シャフト６２を軸としたモーメントにおいて、ケーシング５０内を流れる空気がダンパ羽根６０に作用させるモーメントに対する抵抗となるモーメントを作用させる部材である。圧力差調整部６６は、ウエイト支持部６６ｃと調整ウエイト６６ｄとを有する。ウエイト支持部６６ｃは、シャフト６２に固定された棒状の部材と、調整ウエイト６６ｄを固定するピンとを有する。ウエイト支持部６６ｃは、棒状の部材が、ダンパ羽根６０の開く方向に延在し、かつダンパ羽根６０の伸びている方向に対して傾いて（本実施形態では９０度）設けられ、当該棒状の部材に調整ウエイト６６ｄを挿通しピンで留めている。調整ウエイト６６ｄは、バランス調整部６４においてバランスウエイト６４ｂを固定している位置に対して一致しない位置に配置される。このため、ウエイト支持部６６ｃは、調整ウエイト６６ｄを、シャフト６２を回転軸として、ダンパ羽根６０とのなす角度を所定の角度、回転軸からの距離を所定の距離とすることができる。調整ウエイト６６ｄは、錘であり、ウエイト支持部６６ｃに支持されている。調整ウエイト６６ｄは、穴が形成されており、当該穴にウエイト支持部６６ｃのピンが挿入されることで、所定の位置に支持される。調整ウエイト６６ｄは、ウエイト支持部６６ｃに固定される位置や、個数、重量を適宜調整することができる。
【００５４】
圧力差調整部６６は、ウエイト支持部６６ｃがシャフト６２を軸として、ダンパ羽根６０が配置されている位置（ダンパ羽根６０が伸びている方向）とのなす角を所定の角度とし、かつシャフト６２から所定の距離離れた位置に調整ウエイト６６ｂを固定している。これにより、圧力差調整部６６は、ケーシング５０内を流れる空気がダンパ羽根６０に作用させるモーメントに対する抵抗となる。
【００５５】
図３〜図５に示す流量調整装置１を備える室内圧力保持システム１０は、給気手段１４の給気空気の流量Ｘ１と、排気手段１６の排気空気の流量Ｘ２との関係がＸ１＜Ｘ２となる。このように、室内圧力保持システム１０は、室内空間２０から排出される空気より室内空間２０に流入される空気を少なくすることで、室内空間２０の圧力を低くすることができる。また、室内圧力保持システム１０は、室内空間２０の圧力に応じてダンパ羽根６０の位置が変動する機構の流量調整装置１を設けることで、室外空間２４の圧力が高くなると、流量調整装置１から室内空間２０に流入される空気の量が増加し、室外空間２４の圧力が低くなると、流量調整装置１から室内空間２０に流入される空気の量が低減する。これにより、流量調整装置１で自動的に圧力を調整できるため、給気手段１４や排気手段１６の駆動を制御しなくても、つまり流量を制御しなくても室内空間２０を負圧、つまり、室内空間２０の圧力を室外空間２４の圧力より低い状態に保持することができる。これにより、室内空間２０の空気が給気手段１４以外から室外空間２４に流出することを抑制することができる。また、室外空間２４の圧力が高くなると空気の流量も多くなるため、過負圧となることを抑制することができる。
【００５６】
このように図３〜図５に示す流量調整装置１を備える室内圧力保持システム１０は、室内空間２０の負圧を好適に維持することができ、流量調整装置１により扉１２ｄの開閉や大気圧変動などの外乱の影響を緩和することができる。
【００５７】
このように構成された図３〜図５に示す流量調整装置１は、給気手段１４および排気手段１６が流量一定のもとで稼働されているとき、ダンパ開度保持機構６９をなすバランス調整部６４と圧力差調整部６６により、ダンパ羽根６０は、所定位置にある。この状態から、部屋１２の内部の点検（例えば、給気手段１４や排気手段１６の点検）を行う際、給気手段１４および排気手段１６を停止することで、ダンパ開度保持機構６９をなすバランス調整部６４と圧力差調整部６６により、ダンパ羽根６０が自動的にストッパ６８に当接する閉止位置となり系統隔離する。そして、流量調整装置１は、点検が終了したとき、給気手段１４および排気手段１６を点検前の流量で稼働することで、ダンパ開度保持機構６９をなすバランス調整部６４と圧力差調整部６６により、ダンパ羽根６０は、全開位置側に移動し、所定位置にて移動を規制される。すなわち、ダンパ羽根６０は、所定位置に戻される。
【００５８】
このように、本実施形態の流量調整装置１は、空気を流通させる流路をなす筒状のケーシング５０と、ケーシング５０の流路を塞ぐ閉止位置から開度を調整するようにケーシング５０内で移動可能に設けられたダンパ羽根６０と、所定位置でダンパ羽根６０の移動を規制するとともに、ダンパ羽根６０の移動に伴うことなく所定位置を維持するダンパ開度保持機構６９と、を備える。
【００５９】
そして、図３〜図５に示す流量調整装置１では、ダンパ羽根６０に固定されてケーシング５０内でダンパ羽根６０を回転可能に支持する回転軸６２と、回転軸６２を軸とした回転のモーメントのバランスが調整されることで、ケーシング５０内を流れる空気に対するダンパ羽根６０の抵抗が調整される圧力差調整部６６と、を有し、ダンパ羽根６０の角度が変化して流通する空気の量が変化することで、ケーシング５０の流路の一方側と他方側との圧力差を圧力差調整部６６で設定した圧力差に維持するように構成されており、ダンパ開度保持機構６９は、圧力差調整部６６における回転のモーメントのバランスにより、ダンパ羽根６０の所定位置を維持する。
【００６０】
この流量調整装置１によれば、ダンパ開度保持機構６９により、予め設定したダンパ羽根６０の所定位置を維持できるようにしたことから、流量を調整していた元の所定位置を明確に示すことができる。この結果、点検などでダンパ羽根６０を閉止位置に移動させても、所定位置にダンパ羽根６０を正確かつ容易に戻すことが可能になる。しかも、この流量調整装置１によれば、流量をセンサや電気回路を有する制御装置で調整しない簡単な構成のため、電源喪失などにより不都合が生じることはなく、放射性物質を取り扱う再処理工場や燃料加工工場における換気設備などにおいて、汚染空気の流出を確実に防止することが可能である。
【００６１】
なお、上記実施形態では、部屋１２が、室内空間２０の圧力を室外空間２４の圧力よりも低く維持する必要がある部屋である場合として説明したが、これに限定されない。室内圧力保持システム１０は、部屋１２が、室内空間２０の圧力を室外空間２４の圧力よりも高く維持する必要がある部屋の場合も適用することができる。なお、この場合は、給気手段１４と排気手段１６との流量の大小関係を逆とし、逆止ダンパである流量調整装置１が空気を流通させる方向を逆とする。つまり、給気手段１４の流量を排気手段１６の流量よりも多くし、流量調整装置１を室内空間２０から室外空間２４に向かう方向のみに空気を流通させるようにする。このような、構成とした場合も、室外空間２４と室内空間２０との圧力差に応じて、流量調整装置１から流入する空気量を調整することで、簡単な構成で室外空間２４を室内空間２０に対して負圧に維持することができる。
【符号の説明】
【００６２】
１  流量調整装置
５０  ケーシング
５６  流量調整機構
６０  ダンパ羽根
６２  シャフト（回転軸）
６３  調整機構部
６３ａ  ギアボックス
６３ｂ  操作部
６３ｃ  ハンドル
６４  バランス調整部
６４ａ  ウエイト支持部
６４ｂ  バランスウエイト
６６  圧力差調整部
６６ａ  ウエイト支持部
６６ｂ  調整ウエイト
６６ｃ  ウエイト支持部
６６ｄ  調整ウエイト
６８  ストッパ
６９  ダンパ開度保持機構
６９ａ  ダンパ開度指示針
６９ｂ  ダンパ開度指示部
６９ｃ  ダンパ針規制部
６９ｄ  溝
６９ｅ  規制部
【図１】
2014119127.tif 000003
【図２】
2014119127.tif 000004
【図３】
2014119127.tif 000005
【図４】
2014119127.tif 000006
【図５】
2014119127.tif 000007